(57)【特許請求の範囲】
【請求項１】
床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９と座席フレーム２０と足掛部フレーム２２とステップフレーム２４が略面一でステップフレーム２４が高く背凭フレーム９が低い展身モードと、背凭フレーム９と座席フレーム２０と足掛部フレーム２２とステップフレーム２４の夫々が面一で略水平のベッドモードと、背凭フレーム９が起立状態、足掛部フレーム２２が下垂状態、ステップフレーム２４が水平状態であって、座席フレーム２０は前上り傾斜状態の着座モードとに変位するように構成し、前記座席フレーム２０は、着座モードからベッドモードに変位するとき、座席フレーム２０は、一旦前端が下降してから上方回動して、足掛部フレーム２２と面一となるように構成した多目的チェアのフレーム。
【請求項２】
請求項１において、前記ステップフレーム２４は着座モードからベッドモードに変位するときは水平状態を保持し、ベッドモードから展身モードに変位するときは足掛部フレーム２２と面一のまま上方回動するように構成した多目的チェアのフレーム。
【請求項３】
床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記背凭フレーム９は上部支持フレーム６に横軸１０により回動自在に取付け、前記背凭フレーム９の後面の左右中央位置にはリクライニング用モータ１１を軸１２により回動自在に取付け、リクライニング用モータ１１には該リクライニング用モータ１１の回転により伸縮する縦のリクライニング用ロッド１３を設け、リクライニング用ロッド１３の下部は前記横軸１０よりも下方で後側に突き出る取付杆１４の先端に軸１５により取付け、前記取付杆１４の基部は前記上部支持フレーム６側に固定し、前記軸１５はリクライニング用ロッド１３が前記背凭フレーム９に干渉しない範囲で可及的に前記上部支持フレーム６側に近づけた多目的チェアのフレーム。
【請求項４】
床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記座席フレーム２０はその基部を前記上部支持フレーム６側に軸２１により回動自在に取付け、該軸２１の下方にはチルト用モータ３３を軸３４により回動自在に取付け、チルト用モータ３３には該チルト用モータ３３の回転により伸縮するチルト用ロッド３５を設け、チルト用ロッド３５の先端は前記足掛部フレーム２２に設けた中間アーム３６の先端に取付け、該中間アーム３６の先端にはローラ４５を設け、該ローラ４５は前記座席フレーム２０と足掛部フレーム２２の軸２３部中心の仮想移動円弧軌跡Ｌより徐々に内側に位置するように設けた案内板４６により水平のベッドモードから着座モードに変位するとき座席フレーム２０を前上がり状態にするように構成した多目的チェアのフレーム。
【請求項５】
請求項４において、前記案内板４６は、前後中間部までの前側部分を前を低く後側に至るに従い高く傾斜させ、これに続いて略平らに形成し、案内板４６の後端は前記上部支持フレーム６の上面側に設けた補強杆４８に固定し、案内板４６の前端は上部支持フレーム６より下方に位置する取付杆４９に固定した多目的チェアのフレーム。
【請求項６】
請求項４または請求項５において、前記補強杆４８は前記座席フレーム２０が着座モードからベッドモードに変位するときの水平状態から下方回動を阻止する位置に設け、前記取付杆４９は前記足掛部フレーム２２のベッドモードから着座モードへの回動を停止させる位置に配置した多目的チェアのフレーム。
【請求項７】
請求項４または請求項５または請求項６において、前記案内板４６は左右一対配置し、その間を前記チルト用モータ３３のチルト用ロッド３５を挿通させて前記中間アーム３６に取付け、チルト用ロッド３５を中間アーム３６に取付ける軸３７と前記ローラ４５とは同心上に配置した多目的チェアのフレーム。
【請求項８】
請求項４または請求項５または請求項６または請求項７において、前記足掛部フレーム２２の下部にステップフレーム２４の取付杆２５の前後中間部を軸着し、前記上部支持フレーム６には規制アーム２７の上端を回動自在に取付け、該規制アーム２７の下端を前記取付杆２５の下端の長孔２９に取付け、前記規制アーム２７は前記ステップフレーム２４を水平状態に保持するように構成した多目的チェアのフレーム。
【請求項９】
請求項８において、前記取付杆２５は前記足掛部フレーム２２側に前記取付杆２５を当接させて、前記ステップフレーム２４と足掛部フレーム２２が面一となるように構成した多目的チェアのフレーム。
【発明の詳細な説明】
【０００１】
【産業上の利用分野】
本発明は、多目的チェアのフレームに係るものである。
【０００２】
【従来技術】
従来公知公報の存在は不知であるが、座席は略水平状態で、背凭が前下がり傾斜で、足掛部が前上り傾斜になるベッドモードと、背凭が起立状態、足掛部が下垂状態、座席は略水平状態の着座モードとに変位するように構成した多目的チェアは公知である。
また、従来公知の米国特許第４，４９２，４０７号公報には、座席が前上り傾斜に変位する構成に付いて記載されている。
【０００３】
【発明が解決しようとする課題】
前記公知例は、座席の角度が略水平のままで変位しないので、背凭と足掛部を傾斜させたときの着座姿勢に無理が生じ、疲労感を感じるという課題がある。
また、米国特許第４，４９２，４０７号公報に記載されたものは、常に座席が前上り傾斜なので、ベッドモードのときの伏臥姿勢に無理が生じ、疲労感を感じるという課題がある。
また、足掛部の下部にステップを設けると、フレーム構成およびリンク構成が一層構造が複雑になる。
しかし、フレーム構成を工夫すると、簡素で、着座姿勢も伏臥姿勢も良好にすることができる。
また、背凭を回動させるモータの取付位置を工夫すると、全体を小型にできる。
【０００４】
【発明の目的】
フレーム構成およびリンク構成の簡素化、着座姿勢および伏臥姿勢の良好化、小型化。
【０００５】
【課題を解決するための手段】
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９と座席フレーム２０と足掛部フレーム２２とステップフレーム２４が略面一でステップフレーム２４が高く背凭フレーム９が低い展身モードと、背凭フレーム９と座席フレーム２０と足掛部フレーム２２とステップフレーム２４の夫々が面一で略水平のベッドモードと、背凭フレーム９が起立状態、足掛部フレーム２２が下垂状態、ステップフレーム２４が水平状態であって、座席フレーム２０は前上り傾斜状態の着座モードとに変位するように構成し、前記座席フレーム２０は、着座モードからベッドモードに変位するとき、座席フレーム２０は、一旦前端が下降してから上方回動して、足掛部フレーム２２と面一となるように構成した多目的チェアのフレームとしたものである。
本発明は、前記ステップフレーム２４は着座モードからベッドモードに変位するときは水平状態を保持し、ベッドモードから展身モードに変位するときは足掛部フレーム２２と面一のまま上方回動するように構成した多目的チェアのフレームとしたものである。
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記背凭フレーム９は上部支持フレーム６に横軸１０により回動自在に取付け、前記背凭フレーム９の後面の左右中央位置にはリクライニング用モータ１１を軸１２により回動自在に取付け、リクライニング用モータ１１には該リクライニング用モータ１１の回転により伸縮する縦のリクライニング用ロッド１３を設け、リクライニング用ロッド１３の下部は前記横軸１０よりも下方で後側に突き出る取付杆１４の先端に軸１５により取付け、前記取付杆１４の基部は前記上部支持フレーム６側に固定し、前記軸１５はリクライニング用ロッド１３が前記背凭フレーム９に干渉しない範囲で可及的に前記上部支持フレーム６側に近づけた多目的チェアのフレームとしたものである。
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記座席フレーム２０はその基部を前記上部支持フレーム６側に軸２１により回動自在に取付け、該軸２１の下方にはチルト用モータ３３を軸３４により回動自在に取付け、チルト用モータ３３には該チルト用モータ３３の回転により伸縮するチルト用ロッド３５を設け、チルト用ロッド３５の先端は前記足掛部フレーム２２に設けた中間アーム３６の先端に取付け、該中間アーム３６の先端にはローラ４５を設け、該ローラ４５は前記座席フレーム２０と足掛部フレーム２２の軸２３部中心の仮想移動円弧軌跡Ｌより徐々に内側に位置するように設けた案内板４６により水平のベッドモードから着座モードに変位するとき座席フレーム２０を前上がり状態にするように構成した多目的チェアのフレームとしたものである。
本発明は、前記案内板４６は、前後中間部までの前側部分を前を低く後側に至るに従い高く傾斜させ、これに続いて略平らに形成し、案内板４６の後端は前記上部支持フレーム６の上面側に設けた補強杆４８に固定し、案内板４６の前端は上部支持フレーム６より下方に位置する取付杆４９に固定した多目的チェアのフレームとしたものである。
本発明は、前記補強杆４８は前記座席フレーム２０が着座モードからベッドモードに変位するときの水平状態から下方回動を阻止する位置に設け、前記取付杆４９は前記足掛部フレーム２２のベッドモードから着座モードへの回動を停止させる位置に配置した多目的チェアのフレームとしたものである。
本発明は、前記案内板４６は左右一対配置し、その間を前記チルト用モータ３３のチルト用ロッド３５を挿通させて前記中間アーム３６に取付け、チルト用ロッド３５を中間アーム３６に取付ける軸３７と前記ローラ４５とは同心上に配置した多目的チェアのフレームとしたものである。
本発明は、前記足掛部フレーム２２の下部にステップフレーム２４の取付杆２５の前後中間部を軸着し、前記上部支持フレーム６には規制アーム２７の上端を回動自在に取付け、該規制アーム２７の下端を前記取付杆２５の下端の長孔２９に取付け、前記規制アーム２７は前記ステップフレーム２４を水平状態に保持するように構成した多目的チェアのフレームとしたものである。
本発明は、前記取付杆２５は前記足掛部フレーム２２側に前記取付杆２５を当接させて、前記ステップフレーム２４と足掛部フレーム２２が面一となるように構成した多目的チェアのフレームとしたものである。
【０００６】
【実施例】
本発明の実施例を図面により説明すると、１は人工透析患者あるいは歯科受診患者が治療を受けるときに使用する治療用チェア、あるいは、寛いで着座するリラックスチェア等の多目的チェアフレーム本体、２は多目的チェアフレーム本体の一部を構成する支持下部フレーム２であり、支持下部フレーム２は前側に高さ調節自在の前側脚部３を、後側に転輪４を夫々設けて床上に載置する。支持下部フレーム２には任意のリフタ機構５を介して上部支持フレーム６を設ける。
上部支持フレーム６は左右一対の前後方向の前後杆７を有し、前後杆７は前記リフタ機構５を介して支持下部フレーム２に対して上下するように設ける。前後杆７の後部には後側ブラケット８を固定し、後側ブラケット８の上部には背凭フレーム９の下部を横軸１０により回動自在に取付ける。背凭フレーム９の後面（裏面）側の左右中央位置にはリクライニング用モータ１１を軸１２により回動自在に取付け、リクライニング用モータ１１には該リクライニング用モータ１１の回転により伸縮するリクライニング用ロッド１３を設け、リクライニング用ロッド１３は下方に突出させて取付杆１４の先端に軸１５により軸着し、取付杆１４の基部は横杆１６に固定し、横杆１６はその両端を前記横軸１０より下方の後側ブラケット８に固定する。
【０００７】
したがって、前記横軸１０と前記軸１５との間の後側ブラケット８と、背凭フレーム９と、リクライニング用モータ１１のリクライニング用ロッド１３と、取付杆１４とによりリクライニング用リンクを構成し、前記横軸１０は軸１５より前側上方に位置させ、軸１５はリクライニング用ロッド１３が背凭フレーム９に干渉しない範囲で可及的に横杆１６に近づけ、取付杆１４の長さを短くして、背凭フレーム９の後側に突き出る部材の突出量を少なくしている。
しかして、各上部支持フレーム６の基部側上面には上方に起立する起立部１９の下部を夫々固定し、各起立部１９の上端には前後方向の左右一対の座席フレーム２０の後端を軸２１により回動自在に取付ける。座席フレーム２０の前側には左右一対の足掛部フレーム２２の上部を軸２３により回動自在に取付ける。足掛部フレーム２２の下部にはステップフレーム２４に設けた前後方向の左右一対の取付杆２５の中間部を軸２６により回動自在に取付ける。また、前記上部支持フレーム６の前側には左右一対の規制アーム２７の上部を軸２８により回動自在に取付け、規制アーム２７の下部は前記取付杆２５の後部に設けた長孔２９に軸３０により取付ける。
前記後側ブラケット８または各上部支持フレーム６には左右一対の取付部材３１を固定し、取付部材３１にはブラケット３２を固定し、ブラケット３２の左右中央位置にはチルト用モータ３３を軸３４により回動自在に取付け、チルト用モータ３３には該チルト用モータ３３の回転により伸縮するチルト用ロッド３５を設け、チルト用ロッド３５は前方に突出させて左右一対の中間アーム３６の先端に軸３７により軸着し、中間アーム３６の基部は横杆３８に固定する。横杆３８は前記左右の足掛部フレーム２２の上側部分に固定する。
【０００８】
以上のように、座席フレーム２０と、チルト用ロッド３５と、中間アーム３６と、軸２１と軸３４の間の上部支持フレーム６および取付部材３１の固定部により座席用リンクを形成する。この場合、チルト用ロッド３５が伸長すると足掛部フレーム２２が軸２３中心に回動し、座席フレーム２０と足掛部フレーム２２とが互いに水平状態になると、この状態で軸２１中心に全体が上方回動するように、軸２３着部分に回動規制ストッパ４０を設ける（図９）。実施例では、座席フレーム２０の前側横フレーム杆４１に前側に突き出る一方側当接部材４２の基部を固定し、また、足掛部フレーム２２の横杆３８に他方側当接部材４３の基部を固定し、一方側当接部材４２と他方側当接部材４３が当接することにより、座席フレーム２０に対する足掛部フレーム２２の上方回動を停止させて、座席フレーム２０と足掛部フレーム２２とを軸２１中心に回動させる。
また、座席フレーム２０は、前端部を前側に至るに従い高くなるように傾斜するように屈曲させ、軸２３と軸３７の配置と相俟って、下方回動させたとき、所定位置まで座席フレーム２０と足掛部フレーム２２とを一体的に下方回動させ、足掛部フレーム２２のみの回動を規制する。
しかして、前記座席フレーム２０は軸２１中心に上方回動するが、着座モードのときは前端が所定量高くなるように前上りに傾斜させ、ベッドモードのときは座席フレーム２０と足掛部フレーム２２とが略水平になるように構成する。
【０００９】
そのため、前記各中間アーム３６の先端にはローラ４５を取付け、該ローラ４５の移動線上に案内板４６を設け、ローラ４５が案内板４６に当接することにより、座席フレーム２０を上方回動させる。即ち、前記座席フレーム２０が略水平のベッドモードのとき、軸２３着部中心のローラ４５の仮想移動円弧軌跡Ｌを描き（図１２）、この仮想移動円弧軌跡Ｌより軸２３に近づく内側に案内板４６を配置すると、チルト用ロッド３５が縮小しても前記座席フレーム２０を上方回動させることができ、案内板４６は、その中間部より前側部分を、前側を低くし、後側に至るに従い高く傾斜させて傾斜部４７に形成し、傾斜部４７の前側（下部）は仮想移動円弧軌跡Ｌより下方（外方）に退避しており、後側に至に従い仮想移動円弧軌跡Ｌ内の軸２３に近くなるように配置する。したがって、チルト用ロッド３５が縮小すると、足掛部フレーム２２を軸２３中心に回動させるだけでなく、ローラ４５が案内板４６に当接して、ローラ４５の後方移動を上方移動に変換し、これにより軸２３部分を上動させ、その結果、足掛部フレーム２２を下方回動させながら座席フレーム２０は上方回動させることが可能になって、着座モードのときは前端が高い前上り傾斜させる。
【００１０】
前記案内板４６は後端を前記左右の上部支持フレーム６の上面に固定した補強杆４８に固定し、前記補強杆４８は、着座モードからベッドモードに移行する際、座席フレーム２０の下方回動を阻止するストッパ作用も兼用し、これにより、足掛部フレーム２２のみ上方回動させる。
前記案内板４６の前端は上部支持フレーム６に設けた取付杆４９に固定する。取付杆４９は左右両端を上部支持フレーム６に固定し、その中間部分は前方に突出させ、側面視前方に至に従い低くなるように傾斜させる。チルト用ロッド３５は一対の案内板４６の間に位置させる。
しかして、足掛部フレーム２２は前記のようにチルト用ロッド３５の伸縮により軸２３中心に回動するので、チルト用ロッド３５と中間アーム３６と足掛部フレーム２２により足掛部用リンクを構成し、ベッドモードから着座モードに移行する際、規制アーム２７が取付杆４９に当接して、下方回動を停止させる。
しかして、前記ステップフレーム２４は、着座モードから、足掛部フレーム２２が座席フレーム２０と面一になるまでは、床面に対して略水平状態を維持して上下し、足掛部フレーム２２が座席フレーム２０と面一になると、ステップフレーム２４も足掛部フレーム２２と座席フレーム２０と面一のまま更に上方回動するように構成する。
【００１１】
即ち、足掛部フレーム２２と、取付杆２５と、規制アーム２７とによりステップ用リンクを構成し、規制アーム２７によりステップフレーム２４を水平状態に保持する。
また、足掛部フレーム２２の下端には下方に至るに従い前側に位置するように傾斜するステー５３を介して取付杆２５を取付け、これにより、ステップフレーム２４の軸２６中心の下方回動は取付杆２５が足掛部フレーム２２に当接して停止し、ステップフレーム２４が足掛部フレーム２２と面一になった状態を保持する。
なお、多目的チェアフレーム本体１は、背凭フレーム９と座席フレーム２０とを独立して作動可能であるが、略水平にした座席フレーム２０と足掛部フレーム２２とステップフレーム２４に対して面一にすることにより前記のベッドモードになるが、更に、ステップフレーム２４側を高く、背凭フレーム９側を低くする展身モードにも移行する。
しかして、前記背凭フレーム９の左右何れか一側または両側には、ブラケット５５を固定し、ブラケット５５の上部に横軸部材５６の内端を回転自在に取付け、横軸部材５６の外端側には前後方向の取付フレーム５７の略前後中間部を固定する。取付フレーム５７は四角筒形状に形成し、取付フレーム５７の後部にはブラケット５８を介してアームレストフレーム６０を回動自在に取付ける。アームレストフレーム６０の所定位置には取付フレーム５７に当接する前側ストッパ６１を設け、前側ストッパ６１を取付フレーム５７に当接させてアームレストフレーム６０を水平状態にする。実施例では、前側ストッパ６１はアームレストフレーム６０に出入り自在に螺合させ、前側ストッパ６１を出入りさせてアームレストフレーム６０の角度を調節する。
【００１２】
また、前記ブラケット５８には取付フレーム５７の上面に当接するストッパ板６２を設け、ストッパ板６２を取付フレーム５７に当接させてアームレストフレーム６０を起立状態に保持する。
しかして、前記アームレストフレーム６０は、背凭フレーム９の傾斜角度にかかわらず水平状態を保持するように構成する。前記横軸部材５６には上部アーム６３の上部を固定し、上部アーム６３の下部には下部アーム６４を軸着し、下部アーム６４の基部は横軸部材６５に固定し、横軸部材６５は前記横軸１０より下方、かつ、後側の後側ブラケット８に回転自在に取付ける。
前記上部アーム６３と、下部アーム６４と、後側ブラケット８と、横軸１０と横軸部材５６の間の固定部によりアームレスト用リンクを構成する。アームレスト用リンクは、着座モードのとき、側面視下部アーム６４が背凭フレーム９と略重合するように配置構成すると、全体を小型にし、また、下部アーム６４と背凭フレーム９の間に異物を挿入するのを防止でき、好適である。また、横軸部材５６および横軸部材６５は背凭フレーム９に対して所定長さ側方に突出させて、前記上部アーム６３および下部アーム６４と背凭フレーム９との間に隙間を形成し、背凭フレーム９を起こす際に、アームレスト用リンクで包囲される空間に異物が入っても挟まないようにでき、好適である。
また、実施例では、前記横軸部材５６および横軸部材６５は、軸筒部材により形成し、ボルト（図示省略）を挿通し、該ボルトを固定部に螺合させて、前記横軸部材５６および横軸部材６５を回転自在構成にしている。
【００１３】
しかして、前記背凭フレーム９、座席フレーム２０、足掛部フレーム２２、ステップフレーム２４およびアームレストフレーム６０にはウレタン等のクッション材を取付け、クッション材の外周を表皮部材により包囲する。
この場合、背凭フレーム９の背部クッション材７０を包囲する背部表皮部材７１は、背部クッション材７０の下部から座席フレーム２０との隙間を通して背凭フレーム９の後面に係止し、座席フレーム２０の座部クッション材７２を包囲する座部表皮部材７３には中間表皮部材７４の前端を係止し、中間表皮部材７４の後端は前記背部表皮部材７１の背凭フレーム９の係止部の上方に係止する。したがって、背凭フレーム９と座席フレーム２０の間の隙間に入る異物は中間表皮部材７４により下方に落下するのを防止し、リフタ機構５やリクライニング用リンク等の作動不良発生を防止する。
また、前記座部表皮部材７３の前端には前側中間表皮部材７５を係止し、前側中間表皮部材７５の前端は足掛部フレーム２２の足掛部表皮部材７６に係止し、前側中間表皮部材７５の中間部分の下面（裏面）には面状ファスナー等の一方側係止部材７７を設け、一方側係止部材７７はニードルパンチ７８に設けた他方側係止部材７９に係止させ、前側中間表皮部材７５により座席フレーム２０と足掛部フレーム２２の間の隙間を包囲すると共に、ベッドモードにしたときの前側中間表皮部材７５の浮きを防止する。
【００１４】
しかして、前記ステップフレーム２４は、一対の取付杆２５の間には下方に突き出る左右方向の支持脚部８０を設け、該支持脚部８０および前記取付杆２５は、ステップフレーム２４の平面視外周縁より所定間隔内側（中央側）に位置させる。即ち、ステップフレーム２４は上下動するので、ステップフレーム２４の平面視外周縁より所定間隔内側（中央側）に支持脚部８０および取付杆２５位置させることにより、ステップフレーム２４が下降するとき、ステップフレーム２４の外周縁が多目的チェアフレーム本体１の近傍に立っている者の脛部分に接触しないようにさせて足の上に下りないようにする。
しかして、座席フレーム２０の左右何れか一側には、上下に貫通する筒部材８１を設け、筒部材８１には外側筒部材８２を挿通してボルト８３等により固定状態（高さ調節は可能であるが回転不能）に取付ける。外側筒部材８２の上端には鍔部８４を設ける。外側筒部材８２にはテーブル８５を取付けたテーブル用フレーム８６の縦軸筒部８７を挿通する。縦軸筒部８７の上下中間の任意位置には鍔部８８を設ける。縦軸筒部８７には合成樹脂製のリング状の挟持受体８９を挿入し、挟持受体８９は鍔部８８と鍔部８４とにより上下に挟持される。
前記外側筒部材８２の下端開口部には合成樹脂製のカラー９０を挿通し、カラー９０にはボルト９１を挿通し、ボルト９１は前記縦軸筒部８７の下端の内周に設けた螺子溝９２に螺合させる。したがって、ボルト９１を締めると、ボルト９１と前記挟持受体８９の間の距離が短くなって、鍔部８８の下面と挟持受体８９との摩擦抵抗、および、ボルト９１とカラー９０との摩擦抵抗を夫々大にし、外側筒部材８２に対する縦軸筒部８７を回転させるトルクを高め、テーブル８５は一定の力で移動させられる。
この場合、ボルト９１はテーブル用フレーム８６の縦軸筒部８７と共に回転するため、段付ボルトとし、螺子溝のない軸部９３を前記カラー９０に挿入する。
【００１５】
【作用】
次に作用を述べる。
リクライニング用モータ１１を回転させると、リクライニング用ロッド１３が縮小し、背凭フレーム９は横軸１０中心に後方（下方）回動する。
この場合、リクライニング用モータ１１は背凭フレーム９の上部に取付けているから、座席フレーム２０の下方その他の周囲の空間を有効利用でき、全体を小型にする。また、背凭フレーム９はブラケット５５を横軸１０により上部支持フレーム６側に回動自在に取付け、横軸１０は背凭フレーム９より前側に位置させているから、取付杆１４の長さを可及的に短くしてリクライニング用リンクを構成できる。それゆえ、取付杆１４とリクライニング用ロッド１３とを軸着する軸１５は、リクライニング用ロッド１３が背凭フレーム９に干渉しない範囲で可及的に横杆１６に近づけることができ、取付杆１４の長さを短くして、背凭フレーム９の後側に突き出る部材の突出量を少なくでき、好適である。
また、リクライニング用モータ１１を逆転させると、リクライニング用ロッド１３が伸長し、背凭フレーム９は横軸１０中心に前方（上方）回動する。
しかして、チルト用モータ３３を回転させると、チルト用ロッド３５が伸長する。チルト用ロッド３５は中間アーム３６を前方に押すので、中間アーム３６は軸２３中心に前方回動する。したがって、足掛部フレーム２２は軸２３中心に上方回動を開始する。
【００１６】
この場合、チルト用ロッド３５と中間アーム３６との取付部分の軸３７は軸２３中心に前方回動しようとするが、中間アーム３６にはローラ４５を設け、ローラ４５の軸２３着部中心に移動する仮想移動円弧軌跡Ｌより軸２３に近づく内側には案内板４６を設けているので、ローラ４５は案内板４６に案内され、案内板４６の傾斜に沿って斜め下方に移動する。これにより軸２３は下降し、当初前上りの座席フレーム２０は軸２１中心に前端を下方回動する。座席フレーム２０が下方回動して補強杆４８に当接すると、座席フレーム２０の回動は停止する。
したがって、座席フレーム２０が前上がり状態から水平状態に回動するまでは、チルト用ロッド３５が伸長すると、足掛部フレーム２２は軸２３中心に上方回動するが、同時に座席フレーム２０は軸２１中心に下方回動する。
次ぎに、更にチルト用ロッド３５が伸長すると、前記座席フレーム２０の回動は補強杆４８により阻止されているから、足掛部フレーム２２のみが軸２３中心に上方回動する。
足掛部フレーム２２が座席フレーム２０と水平状態になるまで、上方回動すると、軸２３に設けた回動規制ストッパ４０により座席フレーム２０に対する足掛部フレーム２２の回動が停止するから、更にチルト用ロッド３５が伸長すると、足掛部フレーム２２は座席フレーム２０と共に一体的に軸２１中心に上方回動する。
【００１７】
しかして、足掛部フレーム２２の下部にはステップフレーム２４の取付杆２５の中間部を軸２６により回動自在に取付け、取付杆２５の後側には規制アーム２７の下部を取付け、規制アーム２７の上部は上部支持フレーム６の前側に軸着しているから、足掛部フレーム２２が上方回動しても、ステップフレーム２４は略水平状態のまま上動し、ステップフレーム２４に係る荷重は規制アーム２７が支持する。
この場合、足掛部フレーム２２の下端には下方に至るに従い前側に位置するように所定角度で傾斜するステー５３を設け、ステー５３に取付杆２５を軸２６により取付けているから、ステップフレーム２４が足掛部フレーム２２に対して面一になると、取付杆２５が足掛部フレーム２２に当接し、これによりステップフレーム２４の軸２６中心の下方回動を停止させる。
したがって、ステップフレーム２４は足掛部フレーム２２と一緒に面一状態で軸２１中心に上方回動する。
背凭フレーム９と、座席フレーム２０と、足掛部フレーム２２と、ステップフレーム２４の作動を独立して説明したが、これらを合わせて回動させると、略水平にした座席フレーム２０と足掛部フレーム２２とステップフレーム２４に対して背凭フレーム９を面一にすることにより前記のベッドモードになり、更に、座席フレーム２０と足掛部フレーム２２とステップフレーム２４を上方可動させ、背凭フレーム９を下方回動させると、ステップフレーム２４側が高く、背凭フレーム９側が低くい展身モードに移行する。
【００１８】
しかして、展身モードからベッドモードに移行するとき、チルト用ロッド３５は縮小してステップフレーム２４と足掛部フレーム２２と座席フレーム２０は一体的に軸２１中心に下方回動する。即ち、チルト用ロッド３５は中間アーム３６の先端に取付け、中間アーム３６の基部は軸２３より下部の足掛部フレーム２２に固定されているから、回動規制ストッパ４０の作用により座席フレーム２０と足掛部フレーム２２が一体となった荷重を中間アーム３６が支持することになって、ベッドモードになるまでは、足掛部フレーム２２および座席フレーム２０は一体的に下方回動する。
そして、座席フレーム２０が補強杆４８に当接すると、座席フレーム２０の下方回動は阻止されるから、足掛部フレーム２２のみが軸２３中心に下方回動する。次ぎに、足掛部フレーム２２が所定位置まで下方回動すると、中間アーム３６のローラ４５が案内板４６の傾斜面に当接するから、更にチルト用ロッド３５が縮小すると、ローラ４５が案内板４６により斜め上方に移動し、座席フレーム２０の前端が軸２１中心に上方回動し、所定位置まで上動すると、取付杆４９に規制アーム２７が当接して作動停止して、着座モードになる。
したがって、着座モードでは座席フレーム２０が前上がり状態になるので、着座者の大腿部を確実に支持でき、着座感を向上させる。
【００１９】
しかして、背凭フレーム９の左右何れか一側または両側にはアームレストフレーム６０を設け、アームレストフレーム６０は取付フレーム５７に取付け、取付フレーム５７は横軸部材５６により背凭フレーム９側に取付け、横軸部材５６には上部アーム６３の上部を固定し、上部アーム６３の下部には下部アーム６４を軸着し、下部アーム６４の基部は横軸部材６５に固定し、横軸部材６５は前記背凭フレーム９の回動中心の横軸１０より下方、かつ、後側の後側ブラケット８に回転自在に取付けているから、背凭フレーム９が着座モードから展身モードの間の何れの位置にあっても、アームレストフレーム６０は水平となる。
この場合、上部アーム６３と、下部アーム６４と、後側ブラケット８によりアームレスト用リンクを構成するが、着座モードのとき、側面視下部アーム６４が背凭フレーム９と略重合するように配置構成しているから、全体を小型にする。
また、この状態では、下部アーム６４が背凭フレーム９と略重合して側方から見て隙間がないので、側方から下部アーム６４と背凭フレーム９の間に異物が挿入されるのを防止できる。
また、横軸部材５６および横軸部材６５は背凭フレーム９に対して所定長さ側方に突出させて、前記上部アーム６３および下部アーム６４と背凭フレーム９の側面との間に隙間を形成しているから、展身モードおよびベッドモードから背凭フレーム９を起こす際に、アームレスト用リンクで包囲される空間に前後側から異物が入っても挟まない。
【００２０】
また、アームレストフレーム６０はブラケット５８を介して取付フレーム５７に回動自在に取付け、ブラケット５８には取付フレーム５７の上面に当接するストッパ板６２を設けているから、アームレストフレーム６０を起立させると、ストッパ板６２が取付フレーム５７に当接して、アームレストフレーム６０を起立状態に保持する。
しかして、背凭フレーム９の背部クッション材７０の前面（表側）を包囲する背部表皮部材７１は、背部クッション材７０の下部から座席フレーム２０との隙間を通して背凭フレーム９の後面（裏側）に係止し、座席フレーム２０の座部クッション材７２を包囲する座部表皮部材７３には中間表皮部材７４の前端を係止し、中間表皮部材７４の後端は前記背部表皮部材７１の背凭フレーム９の係止部の上方に係止しているから、背凭フレーム９と座席フレーム２０の間の隙間に入る異物は中間表皮部材７４により下方に落下するのを防止し、リフタ機構５やリクライニング用リンク等の作動不良発生を防止する。
しかして、座部表皮部材７３の前端には前側中間表皮部材７５を係止し、前側中間表皮部材７５の前端は足掛部フレーム２２の足掛部表皮部材７６に係止し、前側中間表皮部材７５の中間部分の下面（裏面）には面状ファスナー等の一方側係止部材７７を設け、一方側係止部材７７はニードルパンチ７８に設けた他方側係止部材７９に係止させているから、前側中間表皮部材７５は座席フレーム２０と足掛部フレーム２２の間の隙間を塞ぐ（包囲する）と共に、ベッドモードにしたときの前側中間表皮部材７５が浮き上がるのを防止でき、外観上の見栄えを良好にする。
【００２１】
しかして、ステップフレーム２４は、一対の取付杆２５の間には下方に突き出る左右方向の支持脚部８０を設けているから、着座モードのときは支持脚部８０が床面に当接し、ステップフレーム２４に人が乗っても、荷重を支持し得る。
この場合、ステップフレーム２４は略水平状態で上下するが、支持脚部８０および取付杆２５は、ステップフレーム２４の平面視外周縁より所定間隔内側（中央側）に位置させているから、ステップフレーム２４の外周縁より足先を挿入しても、支持脚部８０および取付杆２５が足の上に降りるのを防止する。
しかして、テーブル８５を取付けたテーブル用フレーム８６の縦軸筒部８７の外周に別の外側筒部材８２を挿入し、外側筒部材８２は座席フレーム２０の左右何れか一側に設けた上下に貫通する筒部材８１に挿通して回転しないように螺子で固定し、縦軸筒部８７の上部と外側筒部材８２との間に合成樹脂製の挟持受体８９を介して取付け、外側筒部材８２の下端開口部に合成樹脂製のカラー９０を挿通し、カラー９０にはボルト９１を挿通し、ボルト９１を縦軸筒部８７の下端の内周に設けた螺子溝９２に螺合させているから、テーブル８５を縦軸筒部８７中心に回動させると、縦軸筒部８７は、該縦軸筒部８７と挟持受体８９およびカラー９０との摩擦抵抗に抗して回転する。
【００２２】
したがって、テーブル８５は所望位置にまで回動させて手を離すと、その状態を保持する。
この場合、縦軸筒部８７の上下中間の任意位置には鍔部８８を設け、鍔部８８と外側筒部材８２の鍔部８４の間には合成樹脂製のリング状の挟持受体８９を挿着し、外側筒部材８２の下端開口部には合成樹脂製のカラー９０のフランジ部９０ａを当接させ、カラー９０にはボルト９１を挿通し、ボルト９１を縦軸筒部８７の下端の内周に設けた螺子溝９２に螺合させているから、ボルト９１を締めることにより、カラー９０のフランジ部９０ａと挟持受体８９の間の距離が短くなって、縦軸筒部８７の鍔部８８の下面と挟持受体８９との摩擦抵抗、および、カラー９０のフランジ部９０ａと外側筒部材８２の下端との摩擦抵抗を夫々大にする。
したがって、縦軸筒部８７の鍔部８８の下面とボルト９１との距離と、外側筒部材８２に対する縦軸筒部８７を回転させるトルクとは、比例し、ボルト９１を締めると、テーブル８５を移動させる操作荷重は重くなり、ボルト９１を緩めると、テーブル８５を移動させる操作荷重は軽くなり、また、ボルト９１は縦軸筒部８７の螺子溝９２に螺合し、ボルト９１は縦軸筒部８７と一体回転するから、初期設定が容易なだけでなく、テーブル８５の移動操作の反復によってボルト９１が緩むことはなく、初期設定のままの抵抗トルクを保持する。
【００２３】
即ち、縦軸筒部８７を筒部材８１に挿通し、筒部材８１に単に螺子で止めると、テーブル８５を回転させる度に、縦軸筒部８７と螺子との当接部分が摩耗し、摩擦抵抗は低下し、極端な場合は、最初はテーブル８５が回転開始させるのに大なる操作力を必要とするが、一旦回ってしまうと、所定位置に保持できことになる。この点、縦軸筒部８７を回転させる操作に対する操作荷重は、上下に挟持するボルト９１の締めつけ力により決定され、この締付によって発生する摩擦が摩擦抵抗となるので、操作荷重を略一定にすることが可能であるばかりなく、テーブル８５の停止位置にかかわらず、所定の力によってその位置に保持する。
なお、外側筒部材８２と筒部材８１は、螺子等により回転不能に任意の手段
（構成）により固定すればよく、外側筒部材８２が筒部材８１に対して回転することはないので、従来のような操作および抵抗トルクの変化という問題は発生せず、それゆえ、外側筒部材８２と筒部材８１との固定構成は要件ではない。
なお、「リクライニング」、「チルト」等の名称を構成部分に付し、また、「着座モード」等の語句を使用して説明しているが、理解を容易にするためであり、これらの名称や語句等によって、限定されるものではない。
【００２４】
【効果】
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９と座席フレーム２０と足掛部フレーム２２とステップフレーム２４が略面一でステップフレーム２４が高く背凭フレーム９が低い展身モードと、背凭フレーム９と座席フレーム２０と足掛部フレーム２２とステップフレーム２４の夫々が面一で略水平のベッドモードと、背凭フレーム９が起立状態、足掛部フレーム２２が下垂状態、ステップフレーム２４が水平状態であって、座席フレーム２０は前上り傾斜状態の着座モードとに変位するように構成し、前記座席フレーム２０は、着座モードからベッドモードに変位するとき、座席フレーム２０は、一旦前端が下降してから上方回動して、足掛部フレーム２２と面一となるように構成した多目的チェアのフレームとしたものであるから、着座姿勢のときも伏臥姿勢のときも良好な姿勢となって、疲労感を減少させることができると共に、着座状態のとき、着座者の大腿部を支持していた座席フレーム２０の前端が一旦下降してから上方回動するので、無理なく姿勢を変化させることができる。
本発明は、前記ステップフレーム２４は着座モードからベッドモードに変位するときは水平状態を保持し、ベッドモードから展身モードに変位するときは足掛部フレーム２２と面一のまま上方回動するように構成した多目的チェアのフレームとしたものであるから、足掛部フレーム２２の回動により着座者の足の裏から踵に亘って無理なく円滑に支持できる。
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記背凭フレーム９は上部支持フレーム６に横軸１０により回動自在に取付け、前記背凭フレーム９の後面の左右中央位置にはリクライニング用モータ１１を軸１２により回動自在に取付け、リクライニング用モータ１１には該リクライニング用モータ１１の回転により伸縮する縦のリクライニング用ロッド１３を設け、リクライニング用ロッド１３の下部は前記横軸１０よりも下方で後側に突き出る取付杆１４の先端に軸１５により取付け、前記取付杆１４の基部は前記上部支持フレーム６側に固定し、前記軸１５はリクライニング用ロッド１３が前記背凭フレーム９に干渉しない範囲で可及的に前記上部支持フレーム６側に近づけた多目的チェアのフレームとしたものであるから、座席フレーム２０の下方その他の周囲の空間を有効利用でき、全体を小型にすることができると共に、軸１５を上部支持フレーム６側に近づけるので、背凭フレーム９の後側に突き出る部材の突出量を少なくでき、全体を小型にできる。
本発明は、床上に載置される支持下部フレーム２の上方に上部支持フレーム６を設け、該上部支持フレーム６に背凭フレーム９と座席フレーム２０を回動自在に取付け、該座席フレーム２０の前側に足掛部フレーム２２の基部を回動自在に設け、該足掛部フレーム２２の先端にステップフレーム２４を設け、前記背凭フレーム９と座席フレーム２０と足掛部フレーム２２とステップフレーム２４は、背凭フレーム９が起立状態、座席フレーム２０が前上り状態、足掛部フレーム２２が下垂状態、ステップフレーム２４が水平状態の着座モードと、背凭フレーム９と座席フレーム２０と足掛部フレーム２２とステップフレーム２４の夫々が面一で略水平のベッドモードと、背凭フレーム９と座席フレーム２０と足掛部フレーム２２とステップフレーム２４が略面一でステップフレーム２４が高く背凭フレーム９が低い展身モードとに変位するように構成し、前記座席フレーム２０はその基部を前記上部支持フレーム６側に軸２１により回動自在に取付け、該軸２１の下方にはチルト用モータ３３を軸３４により回動自在に取付け、チルト用モータ３３には該チルト用モータ３３の回転により伸縮するチルト用ロッド３５を設け、チルト用ロッド３５の先端は前記足掛部フレーム２２に設けた中間アーム３６の先端に取付け、該中間アーム３６の先端にはローラ４５を設け、該ローラ４５は前記座席フレーム２０と足掛部フレーム２２の軸２３部中心の仮想移動円弧軌跡Ｌより徐々に内側に位置するように設けた案内板４６により水平のベッドモードから着座モードに変位するとき座席フレーム２０を前上がり状態にするように構成した多目的チェアのフレームとしたものであるから、ローラ４５と案内板４６を設けるだけで、座席フレーム２０の変位を可能にでき、リンク機構の構成を簡素にして、コストを低くできる。
本発明は、前記案内板４６は、前後中間部までの前側部分を前を低く後側に至るに従い高く傾斜させ、これに続いて略平らに形成し、案内板４６の後端は前記上部支持フレーム６の上面側に設けた補強杆４８に固定し、案内板４６の前端は上部支持フレーム６より下方に位置する取付杆４９に固定した多目的チェアのフレームとしたものであるから、案内板４６はローラ４５のカム板としての作用と同時に、補強部材の作用も奏し、フレーム構成およびリンク構成を簡素にして、コストを低くできる。
本発明は、前記補強杆４８は前記座席フレーム２０が着座モードからベッドモードに変位するときの水平状態から下方回動を阻止する位置に設け、前記取付杆４９は前記足掛部フレーム２２のベッドモードから着座モードへの回動を停止させる位置に配置した多目的チェアのフレームとしたものであるから、補強杆４８は単なる補強作用のみならず、リンク機構のうちのストッパとしても作用を奏し、フレーム構成およびリンク構成を簡素にして、コストを低くできる。
本発明は、前記案内板４６は左右一対配置し、その間を前記チルト用モータ３３のチルト用ロッド３５を挿通させて前記中間アーム３６に取付け、チルト用ロッド３５を中間アーム３６に取付ける軸３７と前記ローラ４５とは同心上に配置した多目的チェアのフレームとしたものであるから、合理的な配置となって、小型にできる。
本発明は、前記足掛部フレーム２２の下部にステップフレーム２４の取付杆２５の前後中間部を軸着し、前記上部支持フレーム６には規制アーム２７の上端を回動自在に取付け、該規制アーム２７の下端を前記取付杆２５の下端の長孔２９に取付け、前記規制アーム２７は前記ステップフレーム２４を水平状態に保持するように構成した多目的チェアのフレームとしたものであるから、規制アーム２７を設けたリンク機構により簡素な構成にでき、コストを低くできる。
本発明は、前記取付杆２５は前記足掛部フレーム２２側に前記取付杆２５を当接させて、前記ステップフレーム２４と足掛部フレーム２２が面一となるように構成した多目的チェアのフレームとしたものであるから、足掛部フレーム２２をリンク機構のうちのストッパとしても作用を奏し、フレーム構成およびリンク構成を簡素にして、コストを低くできる。
【図面の簡単な説明】
【図１】    リフト機構その他を省略した側面図。
【図２】    同斜視図。
【図３】    一部省略した平面図。
【図４】    背凭フレームの側面図。
【図５】    背凭フレームを後方回動させた側面図。
【図６】    背凭フレームのベッドモード状態側面図。
【図７】    背凭フレームの展身モード状態側面図。
【図８】    座席フレームおよび足掛部フレーム部分の斜視図。
【図９】    座席フレームおよび足掛部フレーム部分の斜視図。
【図１０】  着座モード側面図。
【図１１】  着座モードからベッドモードへの移行状態側面図。
【図１２】  ベッドモード側面図。
【図１３】  展身モード側面図。
【図１４】  アームレストフレーム部分斜視図。
【図１５】  表皮部材の取付状態断面図。
【図１６】  座席フレームおよび足掛部フレーム部分の表皮部材の取付状態断面図。
【図１７】  ステップフレームの斜視図。
【図１８】  同平面図。
【図１９】  同側面図。
【図２０】  テーブルフレームの斜視図。
【図２１】  同断面図。
【符号の説明】
１…多目的チェアフレーム本体、２…支持下部フレーム、３…前側脚部、４…転輪、５…リフタ機構、６…上部支持フレーム、７…前後杆、８…後側ブラケット、９…背凭フレーム、１０…横軸、１１…リクライニング用モータ、１２…軸、１３…リクライニング用ロッド、１４…取付杆、１５…軸、１６…横杆、１８…リクライニング用リンク、１９…起立部、２０…座席フレーム、２１…軸、２２…足掛部フレーム、２３…軸、２４…ステップフレーム、２５…取付杆、２６…軸、２７…規制アーム、２８…軸、２９…長孔、３０…軸、３１…取付部材、３２…ブラケット、３３…チルト用モータ、３４…軸、３５…チルト用ロッド、３６…中間アーム、３７…軸、３８…横杆、３９…座席用リンク、４０…回動規制ストッパ、４５…ローラ、４６…案内板、４８…補強杆、４９…取付杆、５０…足掛部用リンク、５２…ステップ用リンク、５３…ステー、５６…横軸部材、５７…取付フレーム、５８…ブラケット、６０…アームレストフレーム、６１…前側ストッパ、６２…ストッパ板、６３…上部アーム、６４…下部アーム、６５…横軸部材、６６…アームレスト用リンク、７０…背部クッション材、７１…背部表皮部材、７２…座部クッション材、７３…座部表皮部材、７４…中間表皮部材、７５…前側中間表皮部材、７６…足掛部表皮部材、７７…一方側係止部材、７８…ニードルパンチ、７９…他方側係止部材、８１…筒部材、８２…外側筒部材、８４…鍔部、８５…テーブル、８６…テーブル用フレーム、８７…縦軸筒部、８８…鍔部、８９…挟持受体、９０…カラー、９１…ボルト、９２…螺子溝、９３…軸部。
【図１】
0004318191.tif 000002
【図２】
0004318191.tif 000003
【図３】
0004318191.tif 000004
【図４】
0004318191.tif 000005
【図５】
0004318191.tif 000006
【図６】
0004318191.tif 000007
【図７】
0004318191.tif 000008
【図８】
0004318191.tif 000009
【図９】
0004318191.tif 000010
【図１０】
0004318191.tif 000011
【図１１】
0004318191.tif 000012
【図１２】
0004318191.tif 000013
【図１３】
0004318191.tif 000014
【図１４】
0004318191.tif 000015
【図１５】
0004318191.tif 000016
【図１６】
0004318191.tif 000017
【図１７】
0004318191.tif 000018
【図１８】
0004318191.tif 000019
【図１９】
0004318191.tif 000020
【図２０】
0004318191.tif 000021
【図２１】
0004318191.tif 000022